(57)【要約】【課題】盤内設置の回路遮断器に適用する外部操作ハンドル装置であって、配電回路の短絡事故が原因で回路遮断器がトリップ動作した際に、その短絡トリップ状態を盤外から直接目視確認できるような警報表示機能を備えた外部操作ハンドル装置を提供する。【解決手段】、配電盤、制御盤のパネルに取付けて盤内に設置した回路遮断器１のハンドル３を盤外から開閉操作する外部操作ハンドル装置１１において、回路遮断器に装着した短絡警報接点ユニット４に装備のトリップ表示ボタン５に連繋し、短絡事故による回路遮断器のトリップ動作時にその動作状態を盤外に警報表示する短絡トリップ表示手段として、外部装置ハンドル装置１１の取付ベース１１ａから前方に出没するトリップ表示ピン１３を設け、回路遮断器１の短絡トリップ動作時には短絡警報接点ユニット４のトリップ表示ボタン５に連動してトリップ表示ピン１３を外部操作ハンドル装置１１の前方に突き出して盤外に警報表示する。【選択図】        図１
2008159503.tif 000002
【特許請求の範囲】
【請求項１】
配電盤、制御盤のパネルに取付けて盤内に設置した回路遮断器のハンドルを盤外から開閉操作する回路遮断器の外部操作ハンドル装置において、
回路遮断器の付属装置として遮断器本体ケースの側面に装着した短絡警報接点ユニットのトリップ表示ボタンに連繋し、短絡事故による回路遮断器のトリップ動作時にその動作状態を盤外に警報表示する短絡トリップ表示手段を備えたことを特徴とする回路遮断器の外部操作ハンドル装置。
【請求項２】
請求項１に記載の外部操作ハンドル装置において、その短絡トリップ表示手段として、短絡警報接点ユニットのトリップ表示ボタンに連動して外部装置ハンドル装置の取付ベースから前方に出没するトリップ表示ピンを設けたことを特徴とする回路遮断器の外部操作ハンドル装置。
【請求項３】
請求項１に記載外部操作ハンドル装置において、その短絡トリップ表示手段として、短絡警報接点ユニットのトリップ表示ボタンに連動して外部操作ハンドル装置の取付ベースに形成した表示窓に出没する回動式のトリップ表示レバーを設けたことを特徴とする回路遮断器の外部操作ハンドル装置。
【発明の詳細な説明】
【技術分野】
【０００１】
本発明は、低圧配電系統の配電盤，制御盤などに装備して使用するオートブレーカ，漏電遮断器，マニュアルモータスタータなどを対象とした過負荷，短絡保護機能を備えた回路遮断器に適用する外部操作ハンドル装置に関し、詳しくは盤外から回路遮断器の短絡トリップ状態を目視確認するための表示構造に係わる。
【背景技術】
【０００２】
配電盤，制御盤などに装備した頭記の回路遮断器については、盤外からのハンドル操作により回路遮断器を開閉するための外部操作ハンドル装置が採用されている（例えば、特許文献１参照）。
この外部操作ハンドル装置は、よく知られているように配電盤のパネルに取付けて盤内に設置した回路遮断器のハンドルに連結し、その取付ベースの前面にロータリー式のハンドル把手を備えた構成になり、前記ハンドル把手を盤内に設置した回路遮断器のハンドルに連結し、盤外からハンドル把手をＯＮ，ＯＦＦ位置に回わして回路遮断器を開閉操作する。
【０００３】
また、回路遮断器には主回路の過負荷・短絡による過電流を検出して接触子を開極する過電流引外し装置として、過負荷に対応するバイメタル式の時延引外し装置，および短絡に対応する電磁式の瞬時引外し装置を備えている。
そして、前記の過電流引外し装置が作動して回路遮断器がトリップ動作すると、開閉機構に連繋したハンドルはＯＮ位置からＯＦＦとの中間位置に移動して停止する。また、この場合には回路遮断器に連結した外部操作ハンドル装置のハンドル把手もＯＮ位置とＯＦＦ位置の中間に停止してトリップ動作を表示する。
【０００４】
一方、回路遮断器には、配電系統の過負荷，短絡事故などによる過電流でトリップ動作した場合に、このトリップ動作を検知して外部に知らせるための付属装置（オプション）として警報接点ユニットが用意されている。この警報接点ユニットは、回路遮断器の本体ケースの中に装着して回路遮断器がトリップ動作した際に警報接点を閉じて外部に警報信号（電気信号）を出力するようにした内装型のほか、回路遮断器のケース側面に装着したトリップ表示ボタン付きの短絡警報接点ユニットも知られている（例えば、特許文献２参照）。
【０００５】
この外装型の短絡警報接点ユニットは、そのケースに警報接点（電気接点），機械的なトリップ表示ボタン（接点のリセットボタンを兼用），およびアクチュエータレバーを内蔵してそのアクチュエータレバーを回路遮断器の引外し機構に連繋し、回路遮断器が短絡トリップした際に、警報接点を閉じて電気的な警報信号を出力すると同時に、トリップ表示ボタンをケースから突き出して警報表示するようにしている。
【０００６】
次に、前記した回路遮断器およびトリップ表示ボタン付きの短絡警報接点ユニットの構成，動作を図６〜図８で説明する。まず、図６（ａ），（ｂ）において、１は回路遮断器、２は回路遮断器1の本体ケース、３は本体ケース１のケースカバーに取付けた手動操作ハンドル（ロータリー式ハンドル）、４は本体ケース１の外側面に取付けた短絡警報接点ユニット、５は該短絡警報接点ユニット４のトリップ表示ボタン（リセットボタン兼用）であり、このトリップ表示ボタン５は常時はケースの内方に没入しており、後記のように回路遮断器１が短絡電流を検知してトリップ動作すると、これに連動して図示のようにケース上面に突き出して短絡トリップの状態を警報表示する。
【０００７】
図７は回路遮断器（マニュアルモータスタータ）１に搭載した開閉機構，過電流引外し装置の組立構造図で、６はトグルリンク式の開閉機構、６ａは開閉機構６のラッチ受け、６ｂは操作ハンドル３（図６参照）に連結する歯車、７は過負荷に対応するバイメタル式の時延引外し装置、８は短絡に対応する電磁式の瞬時引外し装置、８ａは瞬時引外し装置８の電磁コイル、８ｂはプランジャ、８ｃはプランジャ８ｂの動作に連動するトリップアクチュエータ、９は前記トリップアクチュエータ８ｃと開閉機構６のラッチ受け６ａとの間を連繋し、瞬時引外し装置８の動作に応動してラッチ受け６ａを釈放位置に駆動する上下スライド式のトリップ操作板である。なお、時延引外し装置７は、前記のトリップ操作板９を介さずにバイメタルの操作端とラッチ受け６ａとの問が別なアクチュエータレバーを介して連繋されている。
【０００８】
また、図８は回路遮断器１に内蔵した前記のトリップ操作板９と回路遮断器の側面に装着した短絡警報接点ユニット４のトリップ表示ボタン５との間の連繋構造を表す図である。ここで、トリップ操作板（樹脂板）９は遮断器本体ケース２の内部で上下スライド可能に案内支持され、かつ復帰ばね１０により上方に押し上げ付勢されている。また、トリップ操作板９の肩部には先記した瞬時引外し装置８のトリップ操作レバー８ｃが、また板面に開口したカム面付きの窓穴にはラッチ受け６ａの一端が対向している。一方、短絡警報接点ユニット４は、トリップ表示ボタン５および警報接点（図示せず）に連繋するアクチュエータレバー４ａを備えており、このアクチュエータレバー４ａの先端が回路遮断器１の本体ケース２の内方に突き出して前記トリップ操作板９の側縁に形成した凹溝に係合させている。
【０００９】
上記の構成で、常時はトリップ操作板９が図示の上昇位置に待機しており、この状態では短絡警報接点ユニット４のアクチュエータレバー４ａに連繋した警報接点をＯＦＦするとともに、トリップ表示ボタン５を引っ込んだ位置に鎖錠している。ここで、回路遮断器１の主回路に短絡事故電流による大きな過電流が流れると、図７に示した瞬時引外し装置８が作動し、そのトリップ操作レバー８ｃが復帰ばね１０に抗してトリップ操作板９を下方に押し下げるとともに、この動きに従動してラッチ受け６ａがカム面に沿い左方向に傾動して開閉機構６（図７参照）の鎖錠を釈放し、回路遮断器１を瞬時にトリップ動作させて主回路接点を開極する。また、このトリップ動作過程でトリップ操作板９が下降すると、短絡警報接点ユニット４のアクチュエータレバー４ａがトリップ操作盤９に押されて反時計方向に回動し、これに応動して警報接点がＯＮとなって外部に警報信号（電気信号）を出力するとともに、アクチュエータレバー４ａとの係合が外れたトリップ表示ボタン５が図示されてない付勢ばねに押されてケースの上面から突き出して警報表示する。なお、回路遮断器のＯＦＦ状態で該短絡警報接点ユニットのトリップ表示ボタン５を押し込むと、該ユニットがリセット状態に復帰する。
【特許文献１】２００５−１４９９１８号公報（図５−図７）
【特許文献２】２００３−３１７５９９号公報（図６−図８）
【発明の開示】
【発明が解決しようとする課題】
【００１０】
ところで、前記した従来の外部操作ハンドル装置は、回路遮断器のトリップ動作時にハンドル把手がＯＮ位置とＯＦＦ位置の中間位置（トリップ表示位置）に停止するので、このハンドル把手の停止位置から回路遮断器のトリップ動作を盤外から目視確認できるものの、回路遮断器が過負荷でトリップ動作したのか、短絡事故が原因でトリップ動作したのかが判別できない。
【００１１】
また、図６〜図８に示したトリップ表示ボタン付きの短絡警報接点ユニット４（外装型）は、回路遮断器がむきだし状態で現場に設置されていれば、トリップ表示ボタン５の突き出し位置から回路遮断器が短絡トリップしたことを直ちに目視確認することができるものの、回路遮断器および該遮断器に装着した短絡警報接点ユニットが配電盤，制御盤の盤内に設置されている場合には、配電盤の扉を開いて中を覗かない限りは、回路遮断器のトリップ動作が過負荷によるのか，短絡事故が原因でトリップ動作したのかが盤外からでは目視確認できない。しかも、通電状態で配電盤，制御盤の扉を開くことは保安面で危険を伴う。
【００１２】
本発明は上記の点に鑑みなされたものであり、配電盤，制御盤の盤内に設置した回路遮断器に先記したトリップ表示ボタン付きの短絡警報接点ユニット（外部付属装置）を使用することにより、短絡事故が原因で回路遮断器がトリップ動作した場合にはその動作状態を盤外から直接目視確認できるような警報表示機能を備えた回路遮断器の外部操作ハンドル装置を提供することを目的とする。
【課題を解決するための手段】
【００１３】
上記目的を達成するために、本発明によれば、配電盤、制御盤パネルに取付けて盤内に設置した回路遮断器のハンドルを盤外から開閉操作する外部操作ハンドル装置において、
回路遮断器の付属装置として遮断器本体ケースの側面に装着した短絡警報接点ユニットに装備のトリップ表示ボタンに連繋し、短絡事故による回路遮断器のトリップ動作時にその動作状態を盤外に警報表示する短絡トリップ表示手段を備える（請求項１）ものとし、そのトリップ表示手段は具体的に次記のような態様で構成する。
（１）前記の短絡トリップ表示手段として、短絡警報接点ユニットのトリップ表示ボタンに連動して外部装置ハンドル装置の取付ベースから前方に出没するトリップ表示ピンを設ける（請求項２）。
（２）前記の短絡トリップ表示手段として、短絡警報接点ユニットのトリップ表示ボタンに連動して外部操作ハンドル装置の取付ベースに形成した表示窓に出没する回動式のトリップ表示レバーを設ける（請求項３）。
【発明の効果】
【００１４】
上記の構成によれば、配電盤，制御盤のパネル前面に取付けた外部操作ハンドル装置において、盤内に設置した回路遮断器が短絡事故でトリップ動作した場合にその動作状態を盤外から直接目視確認することが可能であり、これによりトリップ動作の原因の特定，現場作業者への警告など、安全性の向上に寄与することができる。しかも、構造的にも在来の外部操作ハンドル装置に僅かな部品（表示ピン，表示レバー）を追加装備するだけで容易に対応できる。
【発明を実施するための最良の形態】
【００１５】
以下、本発明の実施の形態を図１〜図３、および図４，図５に示す実施例に基づいて説明する。なお図示実施例において、図６に対応する部材には同じ符号を付してその説明は省略する。
【実施例１】
【００１６】
まず、本発明の請求項２に係わる実施例を図１〜図３で説明する。この実施例では、配電盤，制御盤の盤内に設置した回路遮断器１に対して、外部操作ハンドル装置１１を盤パネル１２に取付けて回路遮断器１のハンドル３に連結し、かつ回路遮断器１の側面には図７で述べたトリップ表示ボタン付きの短絡警報接点ユニット４を装着している。ここで、回路遮断器１の短絡トリップ表示手段として、外部操作ハンドル装置１１には短絡警報接点ユニット４のトリップ表示ボタン５に連繋して盤外に出没するトリップ表示ピン１３が追加装備されている。
【００１７】
すなわち、外部操作ハンドル装置１１は、取付ベース１１ａ，ロータリー式のハンドル把手１１ｂ，化粧パネル１１ｃ，インターロックプレート１１ｄの組立体からなり、盤パネル１２への取付位置でハンドル把手１１ｂを回路遮断器１のハンドル３に連結している。また、外部操作ハンドル装置１１の取付ベース１１ａにはピン支持ガイド１１ｅが設けてあり、ここに案内支持した棒状のトリップ表示ピン１３の先端が取付ベース１１ａ，化粧パネル１１ｃに形成したピン挿通穴を通して盤外へ出没可能に保持し、かつこの位置でトリップ表示ピン１３の後端を短絡警報接点ユニット４に装備したトリップ表示ボタン５の先端に例えば圧入して連結している。なお、トリップ表示ピン１３はトリップ表示ボタン５に圧入連結する代わりに、トリップ表示ボタン５に向けてばね付勢するようにしてもよい。また、図２で１１ｆはハンドル把手１１ｂの周域に対向して化粧パネル１１ｃの表面に貼着したハンドル操作位置の表示板、１１ｇは化粧パネル１１ｃの締結ねじである。
【００１８】
次に、前記したトリップ表示ピン１３の表示動作を図３（ａ），（ｂ）により説明する。なお、図３（ａ）は回路遮断器が短絡トリップした状態、図３（ｂ）は定常時の状態を表している。すなわち、定常時には短絡警報接点ユニット４のトリップ表示ボタン５に連結したトリップ表示ピン１３の先端が化粧パネル１１ｂの表面から殆ど突き出さないような位置に静止して待機している（図３（ｂ）参照）。ここで、回路遮断器１が短絡電流を検知してトリップ動作すると、図８で述べたように短絡警報接点ユニット４のトリップ表示ボタン５が突き出し、この突き出し動作に連動して外部操作ハンドル装置１１に設けたトリップ表示ピン１３が化粧パネル１１ｃの前方に突き出して盤外に警報表示する（図３（ａ）参照）。
【００１９】
これにより、配電盤，制御盤の扉を閉じたままの状態でも盤外から回路遮断器１が短絡トリップ動作したことを目視確認することができる。
【実施例２】
【００２０】
次に、先記実施例１の応用実施例として本発明の請求項３に係わる実施例を図４，図５で説明する。この実施例では、回路遮断器１の短絡トリップ表示手段として、外部操作ハンドル装置１１には先記実施例１で述べたトリップ表示ピン１３に代えて回動式のトリップ表示レバー１４を備えている。このトリップ表示レバー１４は、支軸１４ａを外部操作ハンドル装置１１の取付ベース１１ａに回動自在に軸支した上で、付勢ばね（例えば、捩じりコイルばね）で反時計方向に付勢し、レバーの一端を短絡警報接点ユニット４のトリップ表示ボタン５に押し当てている。また、レバーの他端側に形成した表示面１４ｂは着色（例えば赤色）を施し、取付ベース１１ａ，化粧パネル１１ｃに開口した表示窓穴（角穴）１１ｈを通じて前方へ覗くように出没可能に配置されている。
【００２１】
上記の構成で、回路遮断器１の定常状態では図４（ａ）で示すようにトリップ表示レバー１４の表示面１４ｂが表示窓穴１１ｈから外れた位置に静止して待機している。ここで、回路遮断器１が短絡電流を検知してトリップ動作すると、短絡警報接点ユニット４のトリップ表示ボタン５が突き出し、この突き出し動作に連動して前記のトリップ表示レバー１４が時計方向に回動し、図４（ｂ）で示すように先端の表示面１４ｂが表示窓穴１１ｈの背後に移動する。これにより、実施例１と同様に配電盤，制御盤の盤外から回路遮断器１が短絡トリップ動作したことを目視確認することができる。
【図面の簡単な説明】
【００２２】
【図１】本発明の第１実施例に係わる外部操作ハンドル装置を回路遮断器に連結した使用状態の側視端面図
【図２】図１の平面図
【図３】図１の外部操作ハンドル装置に備えたトリップ表示ピンの動作説明図で、（ａ），（ｂ）はそれぞれ回路遮断器の短絡トリップ状態、定常状態に対応するトリップ表示ピンの動作位置を表す図
【図４】本発明の第１実施例に係わる外部操作ハンドル装置のトリップ表示レバーの動作説明図で、（ａ），（ｂ）はそれぞれ回路遮断器の定常状態，短絡トリップ状態に対応するトリップ表示レバーの動作位置を表す図
【図５】図４（ａ）を異なる方向から見た構成図で、（ａ）は側視端面図、（ｂ）は平面図
【図６】回路遮断器の側面に短絡警報接点ユニットを装着した状態の外観図で、（ａ），（ｂ）はそれぞれ平面図および側面図
【図７】回路遮断器に搭載した開閉機構，過電流引外し装置の組立構造を表す図
【図８】図７の回路遮断器に装備したトリップ操作板と短絡警報表示接点ユニットのトリップ表示ボタンとの連繋構造を表す図
【符号の説明】
【００２３】
１    回路遮断器
３    回路遮断器のハンドル
４    短絡警報接点ユニット
５    短絡警報接点ユニットのトリップ表示ボタン
６    回路遮断器の開閉機構
８    電磁式の瞬時引外し装置
９    トリップ操作板
１１    外部操作ハンドル装置
１１ａ  取付ベース
１１ｂ  ハンドル把手
１１ｃ  化粧パネル
１１ｅ  ピン支持ガイド
１１ｈ  表示窓穴
１２    配電盤，制御盤のパネル
１３    トリップ表示ピン
１４    トリップ表示レバー
１４ａ  支軸
１４ｂ  表示面
【図１】
2008159503.tif 000003
【図２】
2008159503.tif 000004
【図３】
2008159503.tif 000005
【図４】
2008159503.tif 000006
【図５】
2008159503.tif 000007
【図６】
2008159503.tif 000008
【図７】
2008159503.tif 000009
【図８】
2008159503.tif 000010